(57)【要約】【課題】狭い部屋に設置したときにも、ユーザに対して部屋の空間を広く感じさせ、圧迫感を与えにくい照明装置を提供する。【解決手段】  照明装置本体２は、半導体発光素子としてＬＥＤを備える光源ユニット１０と、光源ユニット１０に電力を供給する電源ユニット２０と、光源ユニット１０および電源ユニット２０を収納する筐体３０を有する。筐体３０は、中央部に光源ユニット１０が収容される光源収納室３０ｂ、その周りを囲繞するように電源ユニット２０が収納される電源収納室３０ｃが配置されている。筐体３０の高さは５５ｍｍ以下に設定され、光出射口Ｓの直径Ｌは１００ｍｍ以下に設定されている。【選択図】図１
2014179272.tif 000002
【特許請求の範囲】
【請求項１】
造営材の一面に配置される照明装置であって、
光源ユニットと、
前記光源ユニットに電力を供給する電源ユニットと、
前記光源ユニットおよび前記電源ユニットを収納する筐体とを備え、
前記一面上において、前記筐体における前記電源ユニットが収納される電源収納室は、前記筐体における前記光源ユニットが収納される光源収納室を囲繞し、
前記光源ユニットから出射される光が、前記筐体の光出射側に開設された開口部から装置の外に出射される構成であって、
前記開口部の径は１００ｍｍ以下である、
照明装置。
【請求項２】
前記光源ユニットから出射される光束は２００ルーメン以上である、
請求項１記載の照明装置。
【請求項３】
前記筐体の厚みが５５ｍｍ以下である、
請求項１または２記載の照明装置。
【請求項４】
前記筐体は、
前記光源収納室が、光出射側から反対側に凹入された凹入部を有し、
前記光源ユニットは当該凹入部の底面に配設されている、
請求項１〜３のいずれかに記載の照明装置。
【請求項５】
前記筐体には、
光透過性のカバーが前記開口部を覆うように装着されている、
請求項１〜４のいずれかに記載の照明装置。
【請求項６】
前記造営材は天井であって、前記一面の広さが３．２平方メートル以下である、
請求項１〜５のいずれかに記載の照明装置。
【請求項７】
前記光源ユニットは、半導体発光素子を光源とする
請求項１〜６のいずれかに記載の照明装置。
【発明の詳細な説明】
【技術分野】
【０００１】
本発明は、照明装置に関し、特に玄関をはじめとする狭い空間の天井に設置する照明装置に関する。
【背景技術】
【０００２】
従来、ＬＥＤ（Light  Emitting  Diode）を用いた光源ユニットを備える照明装置が提案されている（特許文献１，２参照）。
特許文献１，２に記載された照明装置は、光源ユニットと、当該光源ユニットに電力を供給する電源ユニットと、光源ユニットおよび電源ユニットを収納する筒状の筐体とを備えている。この照明装置では、光源ユニットと電源ユニットとが、筐体の筒軸方向に重なって配置されている。
【０００３】
このような照明装置において、装置の一部を天井材の上面側に突出した状態で取り付ける天井埋め込み型の照明装置も開発されている。
一方、近年の住宅は、居住空間の保温効果を高めるために天井材の上面側に断熱材を敷設したものが多くなってきている。このような住宅は、天井材の上面側の領域の大部分が断熱材に占有されているのが一般的である。このような天井に対しては、従来の天井埋め込み型の照明装置のように、天井材の上面側に突出させた状態で取り付けることは難しい。
【０００４】
従って、天井材の下面側に照明装置を取り付けるケースが多くなってきている。
【先行技術文献】
【特許文献】
【０００５】
【特許文献１】特開２０１１−２４３５１０号公報
【特許文献２】特開２０１１−２４３５１１号公報
【発明の開示】
【発明が解決しようとする課題】
【０００６】
照明装置を天井材の下面側に取り付けて使用する場合、その筐体の厚み分だけ天井材の下面から突出した状態となる。ここで、照明装置の筐体の厚みが大きいと、その空間にいるユーザに圧迫感を与える。従って、照明装置をできるだけ薄型化して、ユーザが空間を広く感じるようにすることが望まれる。
しかし特許文献１，２に記載されている照明装置においては、上記のように光源ユニットと電源ユニットが重なって配置されているので、光源ユニットの厚みと電源ユニットの厚みとを足し合わせた程度の筐体の厚みが必要となり、それよりも薄くすることは難しい。
【０００７】
それに対して、光源ユニットと電源ユニットとを天井材の下面に平行な方向に並べて配置した構成を採用することによって、照明装置の厚みを薄型にすることが可能であり、照明装置を設置する部屋の空間をユーザに広く感じさせるのに有効と考えられる。
しかし、このように厚さを薄くした照明装置であっても、玄関のように２畳（３．２平方メートル）以下の狭い空間の天井に照明装置を設置すると、やはり照明空間に存在しているユーザに対して圧迫感を与える傾向がある。
【０００８】
本発明は、このような背景のもとになされたものであり、狭い部屋に設置したときにも、ユーザに対して部屋の空間を広く感じさせ、圧迫感を与えにくい照明装置を提供することを目的とする。
【課題を解決するための手段】
【０００９】
本発明の一態様に係る照明装置は、造営材の一面に配置される照明装置であって、光源ユニットと、光源ユニットに電力を供給する電源ユニットと、光源ユニットおよび電源ユニットを収納する筐体とを備える。
そして、造営材の一面上で、筐体における電源ユニットが収納される電源収納室は、筐体における光源ユニットが収納される光源収納室を囲繞し、光源ユニットから出射される光が、筐体の光出射側に開設された開口部から装置の外に出射される構成である。
【００１０】
そして、この開口部の径は１００ｍｍ以下に設定した。
ここで、「開口部の径」は、開口部を横切るもっとも長い線分の長さを指すこととする。
上記照明装置において、以下のようにしてもよい。
光源ユニットから出射される光束を２００ルーメン（ｌｍ）以上とする。
【００１１】
筐体の厚みを５５ｍｍ以下に設定する。
筐体には、光源収納室に、光出射側から反対側に凹入された凹入部を光出射側から反対側に凹入された凹入部を設け、光源ユニットは当該凹入部の底面に配設する。
筐体には、光透過性のカバーを、開口部を覆うように装着する。
造営材は天井であって、一面の広さが３．２平方メートル以下である。
【発明の効果】
【００１２】
上記態様の照明装置によれば、造営材の一面上で、筐体における電源ユニットが収納される電源収納室が、筐体における光源ユニットが収納される光源収納室を囲繞しているので、光源ユニットと電源ユニットとは、造営材の一面（設置面）に平行に並ぶ位置関係となる。従って、筐体の厚みを薄くしやすく、装置の厚みを５５ｍｍ以下に設定することも容易である。
【００１３】
また、光源ユニットからの光が出射される開口部の径が１００ｍｍ以下に設定されているので、２畳（３．２平方メートル）以下の狭い部屋の天井に照明装置を設置した場合にも、ユーザが圧迫感を感じにくい。
【図面の簡単な説明】
【００１４】
【図１】実施の形態に係る照明装置１の構成を示す斜視図。
【図２】照明装置１を前方から見た分解斜視図。
【図３】照明装置１の天井への取り付けの態様を説明する断面図。
【図４】（ａ）は照明装置１を縦に切断した概略断面図、（ｂ）は照明装置１を前方から平面視した概略平面図。
【図５】照明装置１及び照明装置１０１，１０２について、狭い空間の天井に各照明装置を設置しユーザが見たときのイメージ図。
【図６】照明装置１の効果を確認する実験結果を示す表。
【図７】実験結果を表すグラフ。
【図８】（ａ）〜（ｃ）は変形例にかかる照明装置における光出射口Ｓの形状を示す平面図、（ｄ）は変形例にかかる照明装置６を縦に切断した概略断面図。
【発明を実施するための形態】
【００１５】
＜発明に到る経緯＞
本発明者は、照明装置を狭い空間の天井に設置した場合に、その空間にいる人が圧迫感を感じるか否かを左右する要因について検討した。その結果、照明装置の筐体の厚さだけではなく、照明装置から光が出射される光出射口の大きさも、その空間にいるユーザが圧迫感を感じるか否かを左右する要因であることを見出した。
【００１６】
そして、このような知見に基づいて、本発明では、照明装置における筐体の厚さを薄くする構成を採用すると共に、光源ユニットから出る光が装置の外に出射する開口部の径を規定する構成を採用することとした。
＜実施の形態＞
実施の形態に係る照明装置について、図面を参照しながら説明する。
【００１７】
１．全体構成
図１は実施の形態にかかる照明装置１の構成を示す斜視図であって、図中矢印Ｚで示す前方向に光が出射される。
図１に示すように、照明装置１は、照明装置本体２、照明装置本体２の前方に装着された光拡散カバー４０、照明装置本体２の後方に装着された取付部材５０及びパッキン６０を備える。
【００１８】
照明装置本体２は、半導体発光素子としてＬＥＤを備える光源ユニット１０と、光源ユニット１０に電力を供給する電源ユニット２０と、光源ユニット１０および電源ユニット２０を収納する筐体３０を有している。
照明装置１の外観は、主に筐体３０、光拡散カバー４０、取付部材５０、パッキン６０で構成され、その外観形状は円盤状である。
【００１９】
この照明装置１は、図３に示すように造営材である天井３の下面に配設され、照明装置１から下方に光が出射される。
照明装置１から出射される全光束は、電球４０Ｗに相当する光束以上であることが好ましい。すなわち、照明装置１から出射される全光束は２００ルーメン（ｌｍ）以上であることが好ましい。
【００２０】
さらに、照明装置１から出射される全光束は、電球６０Ｗ〜８０Ｗに相当する光束（４００〜６００ｌｍ、もしくはそれ以上）であることが好ましい。
２．各部構成
＜光源ユニット１０＞
光源ユニット１０は、略矩形状の基板１１と、基板１１上に配設された発光素子１２と基板１１を押さえ付ける押さえ部材１３とで構成されている。
【００２１】
基板１１は、例えば、セラミック材料や熱伝導樹脂等からなる絶縁層と、アルミニウム等からなる金属層とを積層した２層構造を有する。基板１１の表面には発光素子１２と電源ユニット２０とを電気接続するための配線パターン（不図示）が形成されている。
基板１１における発光素子１２を搭載する前面は、発光素子１２からの出射光を効率良く光拡散カバー４０側へ反射させるために、反射特性に優れている。一方、基板１１における後面には、シリコーン樹脂、アルミニウムやスズ等の金属箔で構成された放熱シート１５が配置されている。放熱シート１５の平面形状は、例えば矩形状である。
【００２２】
発光素子１２は表面実装型（ＳＭＤ：Surface  Mount  Device）ＬＥＤである。
発光素子１２は、例えば、青色ＬＥＤチップと、これを封止する封止部材とがパッケージされた素子である。封止部材は、例えば黄色蛍光体粒子を混合した樹脂材料で構成される。これにより、発光素子１２から、青色ＬＥＤチップから出射した光と、黄色蛍光体粒子で変換された光とが混色して、白色光が得られる。なお、発光素子１２は、白色光を発するものに限定されるものではなく、他の色の光を発するものであってもよい。
【００２３】
押さえ部材１３は、中央に開口部１３ａが設けられた有底円筒状の本体部１３ｂと、本体部１３ｂの外周縁から延設された２つの固定部１３ｃとを有する。開口部１３ａの大きさは、光源ユニット１０の発光素子１２に対応した大きさである。
押さえ部材１３を構成する材料は、例えば、熱伝導性樹脂である。本体部１３ｂの表面は、例えば、白色の塗料が塗布されることにより、出射光に対する優れた反射特性を有する。各固定部１３ｃには、それぞれ螺子穴が設けられている。
【００２４】
押さえ部材１３には、これを覆うように円板状に形成された透光性の保護カバー１４が装着されている。保護カバー１４の材料は、例えば透光性樹脂材料である。
この保護カバー１４は、光源ユニット１０を外部からの衝撃から保護し、光源ユニット１０にユーザの手が接触しないようにする機能を持つ。また保護カバー１４によって、押え部材１３の開口部１３ａから光源ユニット１０の周囲への異物の侵入が防止される。
【００２５】
光源ユニット１０の消費電力は例えば４Ｗである。
＜電源ユニット２０＞
電源ユニット２０は、外部電源から供給される交流を整流平滑する整流平滑回路、整流平滑回路から出力される直流電圧を昇圧または降圧する電圧変換回路等を備える。
電源ユニット２０は、基板２１と、基板２１に実装された電子部品２２とを備える。基板２１の平面形状は円弧状である。
【００２６】
上記のように、電源ユニット２０は光源ユニット１０の周りに配置されている。ここでいう「光源ユニット１０の周り」とは、光源ユニット１０からの光の主出射方向に重ならない場所をいう。
図３に示すように、照明装置１を天井３に取り付けた状態において、光源ユニット１０と電源ユニット２０とは、天井３の下面３ｂに並行する方向に並んで配置される。
【００２７】
電源ユニット２０は商用電源と電気的に接続されている。具体的には、電源ユニット２０から引き出された引き出し線２３が、端子台２４に接続されている。さらに、端子台２４には電源線２５が接続されている。この電源線２５は、商用電源（不図示）から、天井裏の配線通路３ａおよび配線孔３ｃを通って筐体３０内に導入されている。
その結果、電源線２５および引き出し線２３（図２）を介して、交流電流が電源ユニット２０に供給される。
【００２８】
電子部品２２等で構成される回路は、例えば、供給された交流電流を所望の直流電流に変換して、光源ユニット１０に供給する。
なお、端子台２４は、端子台２４に設けられた貫通孔（不図示）および筐体３０に設けられた螺子穴（不図示）に螺子（不図示）を螺子止めすることで、筐体３０に固定されている。
【００２９】
電源ユニット２０は、図２に示すように、基板２１が回路カバー３５の爪部３５ａに載置された状態で、回路カバー３５の貫通孔３５ｂと基板２１に設けられた螺子穴２１ａとに、螺子７１が螺子止めされて、回路カバー３５に固定されている。
＜筐体３０＞
筐体３０は、円筒状の外郭円筒部３４を有し後方側が開口した略有底円筒状である。この筐体３０の前面側（矢印Ｚ側）には、中央部分には後方に凹んだ窪み部３１、その外側には平板円環状の円環部３３が形成され、後方側は、全体が開口して開口部３０ａが形成されている。
【００３０】
筐体３０の前面側に形成されている窪み部３１は、円錐台状に没入した形状であって、円板状の底壁３１ａと、底壁３１ａの外周縁から延設されたテーパー状の側壁３１ｂとを有している。側壁３１ｂは、光拡散カバー４０側に向かって径が漸増しており、光源ユニット１０からの出射光を反射する反射板としての機能を有している。
そして、窪み部３１は、その前端に光源ユニット１０からの光が出射される開口部（光出射口Ｓ）を有している。すなわち、筐体３０における側壁３１ｂの前端が、光源ユニット１０からの光が出射される光出射口Ｓとなっている。
【００３１】
後で詳しく説明するが、この光出射口Ｓの直径Ｌは１００ｍｍ以下に設定されている。
窪み部３１の周縁には溝部３２が円周状に形成され、溝部３２の外側に円環部３３が形成されている。
そして、外郭円筒部３４は、円環部３３の外周縁から後方に伸長している。
筐体３０は、熱伝導に優れた材料、例えば、アルミニウム、マグネシウム、セラミックスで形成されている。なお、溝部３２には、２つの係止部３２ａが窪み部３１の中央を挟んで対向する位置に設けられている。光拡散カバー４０のフック４２がこの係止部３２ａに係止されるようになっている。
【００３２】
このような筐体３０において、窪み部３１の中が、光源ユニット１０が収容されるスペース（光源収納室３０ｂ）となっている。一方、側壁３１ｂと、円環部３３と、外郭円筒部３４とで囲まれた空間が、電源ユニット２０が収容されるスペース（電源収納室３０ｃ）となっている。そして、電源ユニット２０が収納された電源収納室３０ｃの後面側は、平面視形状が円弧状である回路カバー３５で覆われている。
【００３３】
すなわち筐体３０においては、中央部に光源ユニット１０が収容される光源収納室３０ｂ、その周りを囲繞するように電源ユニット２０が収納される電源収納室３０ｃが配置された構成となっている。そして、筐体３０の高さＨは５５ｍｍ以下に設定されている。
回路カバー３５は、光拡散カバー４０側が開放された箱状に形成され、熱伝導性の高い絶縁性樹脂材料で構成されている。この回路カバー３５は、筐体３０と電源ユニット２０とを絶縁するともに、電源ユニット２０を保持する機能を有する。
【００３４】
この回路カバー３５の内周面には、２つの爪部３５ａおよび４つの貫通孔３５ｂが設けられている。そして、上記の電源ユニット２０は、基板２１が回路カバー３５の爪部３５ａに載置された状態で、回路カバー３５の貫通孔３５ｂと基板２１に設けられた螺子穴２１ａとに、螺子７１が螺子止めされて、回路カバー３５に固定されている。
また、押さえ部材１３は、光源ユニット１０の基板１１を、筐体３０の窪み部３１の底壁３１ａに押圧した状態で固定されている。この押さえ部材１３の固定は、筐体３０における窪み部３１の底壁３１ａに設けられた貫通孔に螺子を貫通させて、押さえ部材１３における固定部１３ｃに設けられた螺子穴に螺子止めすることによってなされている。
【００３５】
＜光拡散カバー４０＞
図２の分解斜視図に示すように、光拡散カバー４０は、円板状のカバー本体部４１と、カバー本体部４１の外周縁に立設された２つのフック４２とを備える。この２つのフック４２は、カバー本体部４１を筐体３０に取り付けるために、カバー本体部４１の中央を挟んで対向する位置に立設されている。なお、図２では２つのフック４２の中の一方だけ見えている。
【００３６】
このフック４２を、筐体３０の係止部３２ａに係止することによって、光拡散カバー４０は筐体３０の前面側に固定される。
光拡散カバー４０は、例えば、アクリル樹脂、ポリカーボネート樹脂、ガラス等の透光性材料で形成され、光源ユニット１０から出射される光を拡散しながら透過させて前方に出射する。
＜取付部材５０＞
取付部材５０は、照明装置本体２を天井３に取り付けるための部材である。この取付部材５０は、中央に位置する円板状の本体部５１と、本体部５１の外周縁から延設され本体部５１よりも光拡散カバー４０側に突出した平板環状の突出部５２とを有する構造の円板状である。
【００３７】
取付部材５０の材料は、例えば、アルミニウムや鉄のような金属材料、セラミックス、あるいは熱伝導性の樹脂材料である。
本体部５１の中央には、貫通孔５１ａおよび貫通孔５１ｂ、取付孔５１ｃが設けられている。貫通孔５１ａの大きさは、天井３の配線孔３ｃ（図３）に対応した大きさに設定されている。
【００３８】
本体部５１における貫通孔５１ａの付近には、２つの隆起部５３が光拡散カバー４０側に立設されている。各隆起部５３にはそれぞれ螺子穴が設けられており、その表面５３ａは平面状である。突出部５２からは、２つの延出片５４が立設されている。
取付部材５０は、貫通孔５１ｂ及び取付孔５１ｃにねじを挿通して天井３に締結することによって、天井３に取り付けられる。
【００３９】
図３に示すように、取付部材５０の突出部５２における外周縁は、筐体３０に覆われている。そして取付部材５０に、隆起部５３に設けられた螺子穴と筐体３０の窪み部３１に設けられた貫通孔とに螺子７０が螺子止めされることによって、筐体３０は取付部材５０に固定されている。
＜パッキン６０＞
パッキン６０は、天井３と取付部材５０との間に介在する緩衝材である。
【００４０】
このパッキン６０は、図２に示すように、平板環状の本体部６１と、本体部６１から延設された筒状部６２とで構成されている。パッキン６０の全体形状は、略円環状である。パッキン６０を構成する材料は、伸縮性を有し、且つ、水が透過しない材料であり、例えば、シリコーンである。
図３に示すように、パッキン６０の環内には、取付部材５０の本体部５１が嵌め込まれる。また、照明装置本体２を取付部材５０に取り付けた状態において、取付部材５０における隆起部５３の表面５３ａと、筐体３０における窪み部３１の後面３１ｃとは、パッキン６０の環内側で接触している。
【００４１】
従って、駆動時に光源ユニット１０で発生する熱は、放熱シート１５を介して筐体３０の窪み部３１に伝導され、窪み部３１の後面３１ｃから、取付部材５０の隆起部５３を介して天井３へと効率よく放出される。
照明装置１における各部のサイズの具体例を挙げると、光源ユニット１０の直径は３５ｍｍ、筐体３０の高さＨは３０ｍｍ、筐体３０の外径は１４０ｍｍ、光出射口Ｓの直径Ｌは９０ｍｍである。
【００４２】
以上の照明装置１を天井３に取り付けるには、まず、天井３に取付部材５０を取り付け、次に取付部材５０に照明装置本体２を取り付けることによって行う。
＜照明装置１による効果＞
図４（ａ）は、照明装置１を縦に切断した概略断面図、図４（ｂ）は、照明装置１を前方から平面視した概略平面図である。
【００４３】
これらの図に示すように照明装置１は、前方から平面視するときに、筐体３０内における電源ユニット２０が収納される電源収納室３０ｃが、筐体内における光源ユニット１０が収納される光源収納室３０ｂを囲繞した構成となっている。
従って、照明装置１における筐体３０の高さＨは、電源ユニット２０の高さと同程度あればよいので、装置の高さＨは比較的小さくすることができる。照明装置１においては、装置の高さＨを５５ｍｍ以下と薄く設定することも容易である。
【００４４】
さらに照明装置１においては、上記のように光出射口Ｓの直径Ｌが１００ｍｍ以下に設定されている。
このように照明装置１は、装置高さＨ及び光出射口Ｓの径Ｌの範囲を規定することによって、照明装置１を玄関のような狭いスペースの天井に設置した場合でも、照明空間に存在するユーザが圧迫感を感じにくい効果を得ることができる。
【００４５】
この照明装置１の効果について、図５を参照しながらさらに詳しく説明する。
図５は、実施の形態にかかる照明装置１、及び比較例にかかる照明装置１０１，１０２について、玄関のような狭い空間５の天井５ａに各照明装置を設置し、照明空間に存在するユーザが見たときのイメージを示す図である。
図５（ａ）に示す照明装置１０１は、光源ユニットと電源ユニットが前後方向（上下）に重なって配置された装置構成である。この場合、照明装置の外径は小さいが、照明装置の厚さ（高さ）Ｈは、光源ユニットの厚さと電源ユニットの厚さを足した程度に大きくなり、高さＨは５５ｍｍを超えたものとなる。
【００４６】
照明装置１０１のように装置の高さＨが大きいと、狭い空間５の天井５ａに設置されるときに、照明装置の発光面が下方に位置するので、照明空間に存在するユーザが見たときに圧迫感を感じやすい。
これに対して、図５（ｂ）の照明装置１０１及び図５（ｃ）の照明装置１は、光源ユニットと電源ユニットが横方向（水平方向）に並んで配置されているので、装置の外径は照明装置１０１よりも大きいが、装置の高さＨｂ，Ｈｃも小さく５５ｍｍ以下に設定されている。
【００４７】
照明装置１０２、照明装置１のように装置の高さＨが小さいと、発光面の位置は、照明装置１０１と比べて上方に位置する。従って、人が見たときに、図５（ａ）と比べると図５（ｂ），（ｃ）では、白抜矢印Ａで示すように空間５が上方向に拡がって感じることになる。
次に、照明装置１０１と照明装置１とを比べると、装置の高さＨｂ，Ｈｃは同等であるが、照明装置１０１は、光が出射される開口部の直径Ｌｂが１００ｍｍを超えているのに対して、照明装置１は、光が出射される開口部の直径Ｌｃが小さく１００ｍｍ以下である。
【００４８】
このように、照明装置１は、光が出射される開口部の直径Ｌｃが小さいので、照明装置１０２と比べて発光面のサイズは小さい。従って、人が見たときに、図５（ｂ）と比べると図５（ｃ）では、白抜矢印Ｂで示すように、空間５が横方向に拡がって感じることになる。
ここで、照明装置１の光出射口Ｓの直径Ｌを小さくするほど、狭い空間の天井に設置したときに人が感じる圧迫感を低減する効果は大きくなると考えられるが、この直径Ｌを小さくし過ぎると、光源モジュールから照明装置１の前方に出射される光束は少なくなってしまう。この点で、照明装置１から出射される全光束を２００ｌｍ以上確保する上で、光出射口Ｓの直径Ｌはある程度の大きさが必要と考えられる。
【００４９】
その点で直径Ｌは  ４０ｍｍ以上であることが好ましい。
上記照明装置１の効果を確認する実験を以下のように行った。
＜実験＞
実験用の照明装置として、装置高さＨ及び光出射口Ｓの直径Ｌを、図６に示す各値に設定したサンプルＡ〜Ｅを作製した。各照明装置から出射される光束は同一（４００ｌｍ）とした。
【００５０】
サンプルＡ，Ｂは、比較例にかかるものであって、光源ユニットと電源ユニットとが縦に重ねて配置されている構造の照明装置に相当し、装置の高さＨが５５ｍｍを超えている。
一方、サンプルＣ〜Ｅは、光源ユニットと電源ユニットとが、横（水平）に並べて配置されている構造の照明装置に相当し、装置の高さＨが５５ｍｍ以下である。ただし、サンプルＣは、光出射口Ｓの直径Ｌが１００ｍｍを超えているのに対して、サンプルＤ，Ｅは、光出射口Ｓの直径Ｌが１００ｍｍ以下である。
【００５１】
これらの各照明装置Ａ〜Ｅを、広さが２畳（３．２平方メートル）である部屋の天井に設置し、複数の被験者が一人ずつ部屋に入って感覚的に圧迫感を感じるか否かを調べた。天井の高さは２４００  ｍｍである。
その実験結果は、図６の表に示すとおりである。
図６の表に示されるように、装置の高さＨが５５ｍｍを超えるサンプルＡ，Ｂでは、被験者は大部分が圧迫感を感じた。
【００５２】
一方、装置の高さＨが５５ｍｍ以下のサンプルＣ〜Ｅについてみると、光出射口Ｓの直径Ｌが１００ｍｍを超えるサンプルＣでは、被験者の略半数は圧迫感を感じなかったが、残りの略半数は圧迫感を感じた。それに対して、装置の高さＨが５５ｍｍ以下で且つ光出射口Ｓの直径Ｌが１００ｍｍ以下のサンプルＤ，Ｅでは、被験者全員が圧迫感を感じなかった。
【００５３】
上記の実験結果から、高さＨが５５ｍｍ以下の照明装置では、圧迫感を感じるユーザは減少するが、光出射口Ｓの直径Ｌが１００ｍｍを超えているものでは、圧迫感を感じるユーザも少なくない。それに対して、照明装置の高さＨが５５ｍｍ以下で且つ光出射口Ｓの直径Ｌが１００ｍｍ以下の場合には、圧迫感を感じるユーザが明らかに少ないことがわかる。
【００５４】
図７は、この実験結果をグラフで表したものである。
＜変形例＞
（１）上記実施の形態で説明した照明装置１においては光出射口Ｓは円形であったが、光主射開口部Ｓの形状は円形に限られない。
図８（ａ）〜（ｃ）は、変形例にかかる照明装置における光出射口Ｓの形状を示す平面図である。
【００５５】
図８（ａ）に示すように光主射開口部Ｓの形状が楕円形状であってもよいし、長円形状であってもよい。
また、光出射口Ｓの形状は、多角形状であってもよい。例えば図８（ｂ）に示す光主射口Ｓの形状は正方形状，図８（ｃ）に示す光出射口Ｓの形状は長方形状である。
なお、光出射口Ｓが円形以外の場合、光主射口Ｓを横切る一番長い線分の長さを径Ｌとする。
【００５６】
すなわち、図８（ａ）のように光出射口Ｓが楕円形状の場合は長軸の長さＬａを径Ｌとする。図８（ｂ），（ｃ）のように光出射口Ｓが正方形状，長方形状の場合は、対角線の長さＬｂ，Ｌｃを径Ｌとする。
（２）上記実施の形態で説明した照明装置１では、光出射口Ｓの位置は、前方から平面視したときに筐体３０の中央部にあったが、光出射口Ｓの位置は、筐体３０の中央部からずれた位置にあってもよい。
【００５７】
（３）上記照明装置１では、窪み部３１における側壁３１ｂの前端が光出射口Ｓとなっていたが、図８（ｄ）に示す照明装置６では、筐体３０の前面側において、窪み部３１の周囲にさらに、光拡散カバー４５を填める環状凹部３６が形成されている。
光拡散カバー４５の径は、窪み部３１の開口径よりも大きく設定され、光拡散カバー４５の外周部が環状凹部３６に嵌り込んでいる。
【００５８】
そして、光拡散カバー４５の内面４５ａと環状凹部３６の底面３６ａとの間に空隙ＳＡが形成されている。
この照明装置６においては、図８（ｄ）で一点鎖線矢印に示すように、光源ユニット１０から放射された光の一部が、光拡散カバー４５の内面４５ａと環状凹部３６の底面３６ａとの間で反射を繰り返し、環状凹部３６の外縁近傍までの範囲から装置の前方に光が放出される。この場合は、図８（ｄ）に示すように、環状凹部３６も光出射口Ｓの範囲内に含まれるので、環状凹部３６の外径が光出射口Ｓの直径Ｌとなる。
【００５９】
この照明装置６においても、光源ユニット１０と電源ユニット２０は水平方向に並んで筐体３０に収納されているので、筐体３０の高さＨは小さくできる。そして光出射口Ｓの直径Ｌ（環状凹部３６の外径）を１００ｍｍ以下に設定することによって、照明装置６を狭い空間の天井に設置したときにもユーザが圧迫感を感じにくい効果が得られる。
（４）上記照明装置１では、筐体３０の外郭円筒部３４は、その径が前後でほぼ一定であるが、筐体３０の形状はこれに限定されるものではない。
【００６０】
例えば、筐体３０の外郭円筒部の径が前方から後方にかけて漸減する形状を有していてもよい。
また、上記図８（ｃ）に示すように、筐体３０の外郭形状が角形状であってもよい。
（５）上記照明装置１においては、発光素子としてＣＯＢタイプのＬＥＤを用いたが、
ＳＭＤタイプのＬＥＤを用いても、同様に実施することができる。また、発光モジュールに実装する半導体発光素子として、ＬＥＤの他に、ＬＤ（レーザダイオード）、ＥＬ素子（エレクトリックルミネッセンス素子）などを用いても良い。
【００６１】
（６）上記実施の形態では、照明装置１を天井に設定したが、照明装置１を設置する造営材は天井とは限らない。例えば照明装置１を狭い空間の壁に設置する場合にも同様にユーザに圧迫感を与えにくい効果が期待できる。
（７）上述した実験などに示される照明装置の効果は、必ずしも、照明装置１のように電源収納室３０ｃが、光源収納室３０ｂを囲繞する構成でなくても得られると考えられる。  すなわち、照明装置の高さＨが５５ｍｍ以下で、光出射口Ｓの直径Ｌが１００ｍｍ以下であれば、照明装置を狭い空間の天井に取り付けたときに、ユーザが圧迫感を感じにくいという効果が得られるものと考えられる。
【符号の説明】
【００６２】
１   照明装置
２   照明装置本体
３   天井,
５   空間
５ａ 天井,
６   照明装置
１０ 光源ユニット
１１  基板
１２  発光素子
１３  押さえ部材
１４  保護カバー
２０  電源ユニット
２１  基板
２２  電子部品
２４  端子台
２５  電源線
３０  筐体
３０ａ  開口部
３０ｂ  光源収納室
３０ｃ  電源収納室
３１ａ  底壁
３１ｂ  側壁
３１ｃ  後面
３２ａ  係止部
３３  円環部
３４  外郭円筒部
３５  回路カバー
３６  環状凹部
４０  光拡散カバー
４１  カバー本体部
５０  取付部材
６０  パッキン
Ｓ    光出射口
【図１】
2014179272.tif 000003
【図２】
2014179272.tif 000004
【図３】
2014179272.tif 000005
【図４】
2014179272.tif 000006
【図５】
2014179272.tif 000007
【図６】
2014179272.tif 000008
【図７】
2014179272.tif 000009
【図８】
2014179272.tif 000010